(57)【特許請求の範囲】
【請求項１】
自然発火温度Ｔ′igを有し、ホウ素と硝酸カリウムを含む点火物質と、
点火器の自然発火温度を、Ｔ′igよりも低い自然発火温度Ｔigにする固形化された１個当り２５ｍｇ以上の成分との不均質な組合わせを含み、前記成分は、アルカリ金属塩素酸塩、アルカリ金属過塩素酸塩、アルカリ土類金属塩素酸塩、アルカリ土類金属過塩素酸塩、過塩素酸アンモニウムまたはそれらの混合物を含み、前記点火物質と固形化された前記成分との２つの部分からなる点火器。
【請求項２】
２つの部分からなる点火器の自然発火温度をＴigにする前記成分は、６０−９５重量パーセントの酸化剤と２−４０重量パーセントの燃料成分と２０重量パーセントまでの重合結合剤とを含む花火の成分を含む、請求項１に記載の２つの部分からなる点火器。
【請求項３】
前記花火の成分は、７０−８０重量パーセントの酸化剤と２０−２５重量パーセントの燃料成分と２−５重量パーセントの重合結合剤とを含む、請求項２に記載の２つの部分からなる点火器。
【請求項４】
前記酸化剤はアルカリ金属塩素酸塩のみまたはアルカリ金属過塩素酸塩との結合物を含む、請求項２に記載の２つの部分からなる点火器。
【請求項５】
前記酸化剤は、塩素酸カリウム、塩素酸ナトリウム、塩素酸リチウムおよびその混合物から選択される、請求項４に記載の２つの部分からなる点火器。
【請求項６】
前記燃料成分は、多糖類または融点の高いヒドロキシカルボン酸の誘導体を含む、請求項２に記載の２つの部分からなる点火器。
【請求項７】
前記２つの部分からなる点火器の自然発火温度をＴigにする前記成分は、５０−９２重量パーセントの酸化剤と８−４０重量パーセントの重合結合剤と４０重
量パーセントまでの金属燃料成分と０．１−５重量パーセントの触媒とを含む合成推進剤を含む、請求項１に記載の２つの部分からなる点火器。
【請求項８】
前記合成推進剤は、６８−８８重量パーセントの酸化剤と８−２０重量パーセントの重合結合剤と８−３０重量パーセントの金属燃料成分と０．２−２重量パーセントの触媒とを含む、請求項７に記載の２つの部分からなる点火器。
【請求項９】
前記酸化剤は、アルカリ金属塩素酸塩、アルカリ金属過塩素酸塩、アルカリ土類金属塩素酸塩、アルカリ土類金属過塩素酸塩、過塩素酸アンモニウムおよびその混合物からなるグループから選択される、請求項７に記載の２つの部分からなる点火器。
【請求項１０】
前記酸化剤は、過塩素酸カリウム、過塩素酸ナトリウム、過塩素酸アンモニウムおよびその混合物から選択される、請求項９に記載の２つの部分からなる点火器。
【請求項１１】
前記金属燃料成分は、アルミニウム、ジルコニウム、マグネシウムおよびその混合物からなるグループから選択される、請求項７に記載の２つの部分からなる点火器。
【請求項１２】
前記触媒は酸化鉄を含む、請求項７に記載の２つの部分からなる点火器。
【請求項１３】
前記点火物質は、１５−２５重量パーセントのホウ素と６５−８５重量パーセントの硝酸カリウムとを含む、請求項１に記載の２つの部分からなる点火器。
【請求項１４】
前記点火物質と２つの部分からなる点火器の自然発火温度をＴigにする前記成分とは、１：１ないし２０：１の比率で存在する、請求項１３に記載の２つの部分からなる点火器。
【請求項１５】
前記点火物質と２つの部分からなる点火器の自然発火温度をＴigにする前記成分とは３：１ないし１２．５：１の比率で存在する、請求項１４に記載の２つの部分からなる点火器。
【請求項１６】
点火器を含む空気入れ装置のための空気入れポンプにおいて、改良点は前記点火器が、
自然発火温度Ｔ′igを有し、ホウ素と硝酸カリウムを含む点火物質と、
点火器の自然発火温度を、Ｔ′igよりも低い自然発火温度Ｔigにする固形化された１個当り２５ｍｇ以上の成分との不均質な組合わせを含み、前記成分は、アルカリ金属塩素酸塩、アルカリ金属過塩素酸塩、アルカリ土類金属塩素酸塩、アルカリ土類金属過塩素酸塩、過塩素酸アンモニウムまたはそれらの混合物を含み、前記点火物質と固形化された前記成分との２つの部分からなる点火器を含むことである、空気入れポンプ。
【請求項１７】
空気入れポンプは加圧ガスの供給を含む、請求項１６に記載の空気入れポンプ。
【請求項１８】
膨張ガスはガス発生組成物によってのみ生成される、請求項１６に記載の空気入れポンプ。
【請求項１９】
前記空気入れ装置はエアバッグを含む、請求項１６に記載の空気入れポンプ。
【請求項２０】
自然発火温度Ｔ′igを有し、ホウ素と硝酸カリウムを含む点火物質と、
点火器の自然発火温度を、Ｔ′igよりも低い自然発火温度Ｔigにする固形化された１個当り２５ｍｇ以上の成分とを不均質に混合する工程を備え、
前記成分は、アルカリ金属塩素酸塩、アルカリ金属過塩素酸塩、アルカリ土類金属塩素酸塩、アルカリ土類金属過塩素酸塩、過塩素酸アンモニウムまたはそれらの混合物を含み、前記点火物質と固形化された前記成分との２つの部分からなる点火器の製造方法。
【発明の詳細な説明】
【０００１】
【技術分野】
この発明は、保護用の受動拘束手段または自動車に使用される「エアバッグ」、脱出スライドシュート、救命いかだ等のような装置のための空気入れポンプに関する。より特定的には、この発明は空気入れポンプに使用されるガス発生組成物のための２つの部分からなる点火器に関する。
【０００２】
【背景技術】
保護用受動拘束手段または自動車に使用される「エアバッグ」、脱出スライドシュート、救命いがた等のような多くの装置は通常空気を抜いた状態で保管され、必要なときにガスで膨らまされる。そのような装置は一般に人体に密接して使用されるため、常に効果的であるよう高い安全性をもって設計されなければならない。
【０００３】
空気の注入は一般に、空気、窒素、二酸化炭素、ヘリウム等のガスによって行なわれるが、これは圧力下でさらに加圧されて保存されており、使用時にはガス発生組成物を燃焼することによって生成される高温燃焼ガスを加えることによって補われる。ガス発生組成物によってのみ膨張ガスが生成される場合もある。
【０００４】
たとえば約１１０℃のような高い温度までの、自動車または他の保管環境においてよくある通常の温度で分解または発火することなしにガス発生組成物を安全かつ確実に保管できるようにすることが、明らかに非常に重要である。特に装置を自動車の車室のような密閉された環境で使用する場合に、使用中に発生される実質的にすべての燃焼生成物が、無毒性、非腐食性および不燃性であることもまた重要である。
【０００５】
保護用受動拘束手段または自動車に使用される「エアバッグ」のための空気入れポンプにおけるガス発生組成物を点火するための点火器が既知である。そのような点火器は、自動車の衝撃を感知すると活性化されるたとえば電気スキッブのような点火剤によってそれ自体が点火される。
【０００６】
アダムス（Adams ）他に与えられた米国特許第４，５６１，６７５号およびレンツェン（Lenzen）に与えられた米国特許第４，８５８，９５１号で、点火器および空気入れポンプの各々がアルミニウムハウジングの中に含まれる、保護用受動拘束手段または「エアバッグ」のための点火装置が開示されている。これらの特許の各々で議論されるように、重量を減らすためにアルミニウムを使用することが一般的になった。これらの特許の各々でさらに議論されるように、火事の場合のような高温にさらされるとアルミニウムの機械的強度が低下するという点で、アルミニウムハウジングを使用することは不利である。そのような場合、点火器の自然発火温度に達するとアルミニウムハウジングは裂け、または破裂しその破片および断片はあらゆる方向に飛び散る。
【０００７】
点火器および／またはガス発生組成物が加熱されたアルミニウムハウジングで自然発火する結果として起こり得る重大な被害を防ぐために、アダムス他への米国特許第４，５６１，６７５号およびレンツェンへの米国特許番号第４，８５８，９５１号は、自然発火温度が低い点火器を提供している。アダムス他は、点火物質とハウジングシェルの壁との「密接な」熱接触を頼りにしている。レンツェンは、３００°Ｆないし４００°Ｆの範囲内の温度で発火する無煙火薬である、自然発火物質と効能促進物質（booster material）との均一な混合物を使用している。
【０００８】
先行技術では点火器および／またはガス発生組成物の自然発火温度が危険なまでに高いという問題が認識され取組まれてきたが、不利な点としては、自然発火温度を低下させる現在既知の組成物は必要とされる保管温度ではかなりの重量損失を被り、これらの物質の必要とされる作用に不都合な影響を与え得る熱的不安定を示す。
【０００９】
【発明の開示】
したがってこの発明の目的は、長時間および極度な温度で安定して保管できる、空気入れ装置のための点火器を提供することである。
【００１０】
この発明の他の目的は、安全な自然発火温度を有する、空気入れ装置のための異なる２つの部分からなる点火器を提供することである。
【００１１】
この発明のさらに他の目的は、２つの部分からなる点火器の自然発火温度を低下する固形化された１個当り２５ｍｇ以上の成分を使用する、空気入れ装置のための２つの部分からなる点火器を提供することである。
【００１２】
この発明のさらに他の目的は、この発明の２つの部分からなる点火器を組込む空気入れ装置を提供することである。
【００１３】
この発明のさらに他の目的は、この発明の２つの部分からなる点火器を使用する既存の空気入れポンプを改善することである。
【００１４】
この発明のさらに他の目的は、点火器の組成物の自然発火温度を低下した点火器の製造方法を提供することである。
【００１５】
以下の説明から明らかになるであろうこの発明のこれらの目的および他の目的に従えば、この発明は、自然発火温度Ｔ′igを有し、ホウ素と硝酸カリウムを含む点火物質と、点火器の自然発火温度を、Ｔ′igよりも低いようなより低い自然発火温度Ｔigにする固形化された１個当り２５ｍｇ以上の成分との不均質な組合わせ（heterogeneous combination ）を含み、この成分は、アルカリ金属塩素酸塩、アルカリ金属過塩素酸塩、アルカリ土類金属塩素酸塩、アルカリ土類金属過塩素酸塩、過塩素酸アンモニウムまたはそれらの混合物を含み、点火物質と固形化された成分との２つの部分からなる点火器を提供する。
【００１６】
この発明はさらに、自然発火温度Ｔ′igを有し、ホウ素と硝酸カリウムを含む点火物質と、点火器の自然発火温度を、Ｔ′igよりも低いようなより低い自然発火温度Ｔigにする固形化された１個当り２５ｍｇ以上の成分との不均質な組合わせを含み、その成分は、アルカリ金属塩素酸塩、アルカリ金属過塩素酸塩、アルカリ土類金属塩素酸塩、アルカリ土類金属過塩素酸塩、過塩素酸アンモニウムまたはそれらの混合物を含み、点火物質と固形化された成分との２つの部分からなる点火器を含む空気入れ装置のための空気入れポンプを与える。
【００１７】
さらに、自然発火温度Ｔ′igを有し、ホウ素と硝酸カリウムを含む点火物質と、点火器の自然発火温度を、Ｔ′igよりも低い自然発火温度Ｔigにする固形化された１個当り２５ｍｇ以上の成分とを不均質に混合する工程を備え、この成分は、アルカリ金属塩素酸塩、アルカリ金属過塩素酸塩、アルカリ土類金属塩素酸塩、アルカリ土類金属過塩素酸塩、過塩素酸アンモニウムまたはそれらの混合物を含み、点火物質と固形化された成分との２つ
の部分からなる点火器の製造方法。
【００１８】
この発明は部分的に添付の図面を参照して説明されるが、これは例示的なものであってそれに制限されるものではない。
【００１９】
【発明を実行するための最良モード】
この発明はガス発生組成物のための、２つの部分からなる点火器に関する。この発明の２つの部分からなる点火器には既知の点火器に対して特定の利点があり、この利点には、２つの部分からなる点火器と関連するガス発生組成物とを収容する容器の機械的強度がかなり低下する温度よりも自然発火温度がかなり低いこと、および１０年以上の長い間約１１０℃までの周囲温度で安定して保管できることがある。さらに、この発明の２つの部分からなる点火器が燃焼により生成するのは無毒性で非腐食性で不燃性の生成物である。
【００２０】
この発明の２つの部分からなる点火器は、点火物質と花火の成分または合成推進剤との不均質な混合物を含む。この発明に使用する花火の成分および合成推進剤はペレット状にされ、粒状またはペレット状にすることができる点火物質と密に接触する。
【００２１】
この発明の２つの部分からなる点火器では、たとえばニトロセルロースのような典型的な発射推進剤をもとにする推進剤を使わないようにしている。これらのタイプの推進剤は先行技術において従来的には使用されるが、この発明の発明者は、これらの推進剤を使用すれば約１０７℃で重量がかなり損失し（２０日後で約１６％）これは必要とされる保存温度で確実に熱的不安定を示すものであると判断した。
【００２２】
この発明の２つの部分からなる点火器は、既知のすべてのガス発生組成物の点火のために使用できる。これに関して、２つの部分からなる点火器を単に既知の点火器の組成物または点火器システムの代わりに使用することによって、この発明の２つの部分からなる点火器を既知の空気入れ装置に容易に組込むことができる。２つの部分からなる点火器を、可燃性ガス発生組成物のみを使用する空気入れ装置にも、中に保存されている圧縮ガスを使用する空気入れ装置にも使用できることが理解されるはずである。
【００２３】
この発明の２つの部分からなる点火器には種々の点火物質が使用されるが、好ましい点火物質は、約１０−３０重量パーセントのホウ素と約７０−９０重量パーセントの硝酸カリウムとその残りの任意の重合結合剤との混合物である。ポリエステル等の任意の重合結合剤は、点火物質をペレット状にすることが望ましい場合に含まれる。これに関して、点火物質はペレット状または粒状のどちらの形状でも使用することができることに注目されたい。点火物質をペレット状で使用するか粒状で使用するかはその応用に基づいて選択される。すなわち、たとえば製造中の特定の点火器の容器のような特定の応用において望ましい効果を得るためにより適切な形状を必要に応じて適切に選択することができる。点火物質を粒状で使用するべき場合には、任意の重合結合剤物質は必要ではなく、使用されない。点火物質の通常の自然発火温度は約３７０℃である。
【００２４】
好ましい実施例では、点火物質は、約１５−２５重量パーセントのホウ素と約６５−８５重量パーセントの硝酸カリウムと任意に約３−１０重量パーセントの従来の重合結合剤とを含む。例示的な実施例では、約１８重量パーセントのホウ素と約８２重量パーセントの硝酸カリウムとを含む点火物質が粒状で準備され、かつ約２４重量パーセントのホウ素と約７０重量パーセントの硝酸カリウムと約６重量パーセントのポリエステル重合結合剤とを含む発火物質がペレット状で準備された。
【００２５】
発火物質は、花火の成分または合成推進剤とともに使用される。花火の成分は、約６０−９５重量パーセントの酸化剤と約２−４０重量パーセントの燃料成分と任意に約２０重量パーセントまでの重合結合剤とを含む。より好ましい実施例では、花火の成分は約７０−８０重量パーセントの酸化剤と約２０−２５重量パーセントの燃料成分と任意に約２−５重量パーセントの重合結合剤とを含む。
【００２６】
花火の成分は合成推進剤と同様に以下で詳細に議論する理由のためペレット状で使用する必要がある。したがって、花火の成分の組成物をペレット状にする必要がある場合、任意の重合結合剤が上述の量の花火の成分に混ぜられる。
【００２７】
花火の成分に使用される酸化剤は、アルカリ金属塩素酸塩、またはアルカリ金属過塩素酸塩との結合物および混合物が可能である。花火の成分に使用される好ましい酸化剤には、塩素酸カリウム、塩素酸ナトリウム、塩素酸リチウム等のアルカリ金属塩素酸塩がある。一般に１つの酸化剤を使用するが、議論された酸化剤のうちの２つ以上を使用することもこの発明の範囲内である。酸化剤は少なくとも、花火の成分に関連する酸化可能な種類をすべて実質的に酸化するのに十分な量でなければならない。
【００２８】
花火の成分は、多糖類の混合物およびそれらの誘導体を含むいかなるタイプの多糖類からも選択される燃料成分を含む。例示的な多糖類には、デキストリン、セルロース、デンプン等が含まれる。多糖類に加えて、スクロースではなくラクトースのような二糖類を燃料成分として使用することができる。グルコースおよびフルクトースのような単糖類は受入れることができないが、融点の高いヒドロキシカルボン酸、および酒石酸のようなこれらの化合物の誘導体は受入れることができる。
【００２９】
上で議論したように、花火の成分に使用される任意の重合結合剤は必要なときに与えられ花火の成分をペレット状にすることができる。酸化剤と燃料成分との相対的な量が、重合結合剤を加えずに混合物をペレット状にすることができるような量であれば、重合結合剤を省略することができる。一旦酸化剤と燃料の成分とのタイプおよび相対的な量が選択されると、重合結合剤が必要であるかどうかを容易に判断することができる。
【００３０】
花火の成分に使用することができる種々の任意の重合結合剤は、合成樹脂および合成熱可塑性ポリマーを含む。例示的な重合結合剤には、ヒドロキシ末端のポリブタジエン（ＨＴＰＢ）ベースのポリウレタン、ポリブタジエンとアクリロニトリルとの共重合体（ＰＢＡＮ）、およびカルボキシ末端のポリブタジエン（ＣＴＰＢ）ベースのポリエステル等のポリブタジエンベースのポリマーが含まれる。他の好ましい重合結合剤には、一般にポリカーボネート、ポリエステルおよびエポキシが含まれる。
【００３１】
花火の成分の代わりに使用することができる合成推進剤は、約５０−９２重量パーセントの酸化剤、約８−４０重量パーセントの重合結合剤、約４０重量パーセントまでの金属燃料成分および約０．１−５重量パーセントの触媒を含む。より好ましい実施例では、合成推進剤は約６８−８８重量パーセントの酸化剤、約８−２０重量パーセントの重合結合剤、約８−３０重量パーセントの金属燃料成分、および約０．２−２重量パーセントの触媒を含む。
【００３２】
合成推進剤に使用される酸化剤は花火の成分に使用される酸化剤と同一にすることができる。アルカリ金属塩素酸塩とアルカリ土類金属塩素酸塩とに加えて、合成推進剤に使用される酸化剤はまたアルカリ金属過塩素酸塩とアルカリ土類金属過塩素酸塩と過塩素酸アンモニウムとからも選択され得る。これらの上述の酸化剤の結合物および混合物もまた使用することができる。ここでおよび上述の中で「結合物」とはたとえばアルカリ金属過塩素酸塩等の、一般的なグループの１つよりも多い種類のことをいい、「混合物」とは１つよりも多い一般的なグループから選択される酸化剤のことをいう。推進剤成分に使用される好ましい酸化剤には、過塩素酸アンモニウム、過塩素酸カリウム、過塩素酸ナトリウム等の過塩素酸塩が含まれる。
【００３３】
合成推進剤に使用される重合結合剤は、花火の成分に使用することができる上述の重合結合剤から選択され得る。合成推進剤に使用できる好ましい重合結合剤には、ヒドロキシ末端のポリブタジエン（ＨＴＰＢ）ベースのポリウレタン、ポリブタジエンとアクリロニトリルとの共重合体（ＰＢＡＮ）ベースのポリウレタン、およびカルボキシ末端のポリブタジエン（ＣＴＰＢ）ベースのポリエステルが含まれる。
【００３４】
合成推進剤に使用される金属燃料成分には、粉末状で可燃性であるアルミニウム、ジルコニウム、マグネシウム等の金属が含まれる。金属燃料成分の機能は、点火を向上するために炎の温度を上げ、熱い金属粒子を発生させることである。
【００３５】
触媒は、Ｔigを低下させるためおよび触媒作用で燃焼を加速するために加えられる。好ましい触媒には酸化鉄があり、Ｆｅ2 Ｏ3 が最も好ましい酸化鉄である。Ｆｅ2 Ｏ3 が好ましいが、ＦｅＯおよびＦｅ3 Ｏ4 もまた使用することができる。ｔ−ブチルカトセン（catocene）、ジフェロセニルケトン、トリフェロセニルホスフィンオキシド、トリフェロセニルエタンおよびｎ−ヘキシルカルボランのような有機金属はすべて、合成推進剤に触媒として使用されると自然発火温度を著しく低下させることがわかったが、しかしながら、これらの物質は酸化鉄よりもはるかにコストが高い。クロム酸塩のような他の重金属酸化物もまた適切な触媒であるとされている。
【００３６】
上述のように、点火物質は粒状またはペレット状または錠剤状が可能である。しかしながら、常に使用される花火の成分および合成推進剤はペレット状である必要がある。さらに、２つの部分からなる点火器、すなわち点火物質と花火の成分または合成推進剤とは、点火物質と花火の成分または合成推進剤とが互いに直接または密接に接触する不均質な混合物である必要がある。
【００３７】
２つの部分からなる点火器の自然発火温度を下げるために、ペレット状の花火の成分または合成推進剤が有さなければならない臨界の固形化された質量があることが発見された。すなわち、花火の成分または合成推進剤のペレットの最小の重量は約２５ｍｇでなければならない。好ましくは、合成推進剤または花火の成分のペレットの各々の質量は約２５−１００ｍｇである。約２５ｍｇよりも少ないペレットは単独で使用されると２つの部分からなる点火器の自然発火温度を低下させるのには効果的でないことがわかった。１００ｍｇよりも大きいペレットにはさらなる利点はないため、さらなる物質の質量は必要でない。
【００３８】
２つの部分からなる点火器は、好ましくは花火の成分または合成推進剤の１つのペレットを使用するように設計された。１つのペレットを使用することは、２つの部分からなる点火器の自然発火温度を低下させるのに十分であることがわかった。さらに、１つのペレットを使用する際、最小量の花火の成分または合成推進剤を使用し、空気入れポンプ装置の製造において利点を得ることができる。
【００３９】
花火の成分または合成推進剤の質量の臨界は以下に示すこの発明の過程で発見された。最初に、１７５ｍｇの粒状の点火物質と２５ｍｇの粒状の花火の成分との均一な混合物の自然発火が制御された。結果として生じる均一な混合物は２６０℃で自然発火しなかった。その後１７５ｍｇの粒状の点火物質と２５ｍｇの花火の成分の１つのペレットとの不均質な混合物が自然発火を制御した試験中に１８６℃で自然発火することが発見された。実質的に、重量が約２５−１００ｍｇの１つのペレットはそれだけで、２つの部分からなる点火器に受入れ可能な自然発火温度、すなわち約１５０℃ないし約２５０℃を与えるのに十分であると判断された。
【００４０】
２つの部分からなる点火器に１つよりも多いペレットの花火の成分または合成推進剤を使用できることが理解されるはずである。しかしながら、各々の付加的なペレットの臨界質量をかなり低減させることはできない。したがって、より多くのペレットを使用すると、より多くの総質量の花火の成分または合成推進剤をも使用しなければならず、特に利益はない。
【００４１】
花火の成分または合成推進剤のペレットの質量が臨界的であると判定された一方、ペレットはいかなる特定的な形にも制限されない。すなわち、ペレットは必要に応じて正方形、球形、円筒形等であることが可能である。例示的な実施例では、一辺が３ないし４ｍｍである立方体のペレットが用意され、この発明の目的に有用であることがわかった。
【００４２】
２つの部分からなる点火器では、点火物質対花火の成分または合成推進剤の比率は、約１：１ないし２０：１の範囲が可能であり、約３：１ないし１２．５：１の比率がより好ましい。
【００４３】
唯一の図は、この発明に従った２つの部分からなる点火器を説明するための概略図である。図に示されているように、２つの部分からなる点火器１はたとえばアルミニウムの容器等の金属の容器２に含まれており、点火物質３と組成物の１つのペレット４との不均質な混合物を含み、これは点火物質の自然発火温度を効果的に低下させる。ペレット４は、上で詳細に議論した花火の成分または合成推進剤を含む。通常に使用する際には、２つの部分からなる点火器は点火剤５によって点火され、これは既知の態様で感知されたときに活性化される従来の電気スキッブであってもよい。一旦２つの部分からなる点火器１が点火されると、主なガス発生物質６が点火され、膨張性装置７を膨らませるのに必要なガスを発生する。主なガス発生物質６の量は、空気入れ装置７を膨らませるために使用されるすべてのガスを生成するように選択できることが理解されるはずである。そうでなければ、主なガス発生物質の量は図に示されているように、保管された加圧ガス８の供給を単に補いかつそれを加熱するように選択されてもよい。別の実施例では、点火物質３自体が、保管された加圧ガス８の供給を補いかつ加熱するのに十分なガスを発生することができる。
【００４４】
上述のように、本出願人の２つの部分からなる点火器は既知のすべてのガス発生組成物を点火するために使用することができる。さらに、この発明の２つの部分からなる点火器は、２つの部分からなる点火器を単に既知の点火器の組成物または点火器システムの代わりに使用することによって容易に既知の空気入れ装置に組込まれることが可能である。したがって、唯一の図において、２つの部分からなる点火器の組成物に関する本出願人の発明を完全に理解するために空気入れポンプおよび空気入れ装置の要素の詳細は必要でないことが理解されるはずである。
【００４５】
この発明の２つの部分からなる点火器の特色および特徴は以下の例を参照して示されるが、これは例示的な目的のためだけのものであって、この発明を制限するものではない。以下の例および全体を通して、パーセンテージは特に述べていない限り重量パーセントである。
【００４６】
［例１］
この例では、２つの部分からなる点火器のいくつかの組成物がテストされそれらの自然発火温度を判定した。
【００４７】
この例の２つの部分からなる点火器の組成物においては、点火物質は「２Ｃグラニュール」であり、その集合状態は粒状であり、その組成はホウ素１８パーセントおよびＫＮＯ3 ８２パーセントである。点火物質対花火の成分または合成推進剤の重量比は７：１であった。花火の成分または合成推進剤の１つの立方体のペレットは、粒状の点火物質との不均質な混合物において使用された。花火の成分および合成推進剤の組成は以下の表１に示されている。
【００４８】
【表１】
0003762439.tif 000002
【００４９】
表１の２つの合成推進剤と結果として生じる２つの部分からなる点火器のそれぞれの自然発火温度との比較は、金属塩素酸塩と多糖類との混合物を含まない組成物の自然発火温度を低くする際に触媒が重要であることを示している。
【００５０】
［例２］
この例では、花火の成分を含む２つの部分からなる点火器の自然発火温度と合成推進剤を含む２つの部分からなる点火器の自然発火温度とを比較した。花火の成分の組成と合成推進剤の組成とは以下の表２に示されている。この例では、点火物質は２Ｃグラニュールであり、花火の成分または合成推進剤の１つの立方体のペレットを使用した。各々の場合において、７００ｍｇの点火物質を花火の成分および合成推進剤のそれぞれ１００ｍｇのペレットと使用した。
【００５１】
【表２】
0003762439.tif 000003
【００５２】
この発明は特定の手段、物質および実施例を参照して説明されたが、上述の説明から当業者はこの発明の本質的な特徴を容易に確めることができ、かつ前掲の特許請求の範囲に記載されているようなこの発明の意図および範囲から外れることなく種々の使用法および特徴に適合するようにこの発明に種々の変更および修正を加えることができる。
【図面の簡単な説明】
【図１】空気入れポンプにおけるこの発明の２つ部分からなる点火器の概略断面図である。
【符号の説明】
１  ２つの部分からなる点火器
２  金属の容器
３  点火物質
４  組成物のペレット
５  点火剤
６  ガス発生物質
７  空気入れ装置
８  加圧ガス
【図１】
0003762439.tif 000004